(57)【要約】【課題】煩雑な操作を必要とすることなく、可搬型記録媒体に対するデータの読み書きを行うことができる情報処理装置を提供することである。【解決手段】画像形成装置１００Ａ〜１００Ｄは、ネットワーク２００を介して接続されており、それぞれが記憶部１５及びＣＰＵ１６を備える。ＣＰＵ１６は、リーダライタ１１Ａに装着されたメモリカード２から画像データを読み取って、メモリカード２に媒体ＩＤを付与し、ユーザが選択した画像形成装置１００Ｂに媒体ＩＤが付加された画像データを送信するとともに、媒体ＩＤと画像形成装置１００Ｂの装置ＩＤとをメモリカード２に書き込む。画像形成装置１００ＢのＣＰＵ１６は、受信した画像データを記憶部１５に記憶する。また、画像形成装置１００ＢのＣＰＵ１６は、当該メモリカード２がリーダライタ１１Ａに装着されると、メモリカード２へ媒体ＩＤが付加された画像データを記憶部１５から取得して書き込む。【選択図】  図１
2013225223.tif 000002
【特許請求の範囲】
【請求項１】
可搬型記録媒体に対するデータの読み書きと、ネットワークを介して他の情報処理装置に対するデータの送受信と、を行う情報処理装置であって、
データを記憶するための記憶部と、
前記可搬型記録媒体からのデータの読取時に、前記可搬型記録媒体からデータを読み取った後に前記可搬型記録媒体のデータを消去し、前記可搬型記録媒体を識別するための媒体識別情報を付与して前記可搬型記録媒体に書き込むとともに、前記付与した媒体識別情報を前記可搬型記録媒体から読み取ったデータに付加して、前記媒体識別情報が付加されたデータをユーザが選択した情報処理装置へ送信し、
前記他の情報処理装置からの前記媒体識別情報が付加されたデータの受信時に、前記媒体識別情報が付加されたデータを前記記憶部に記憶し、
前記可搬型記録媒体へのデータの書込時に、前記記憶部が記憶するデータであって前記可搬型記録媒体から読み取った媒体識別情報が付加されたデータをユーザが選択した可搬型記録媒体に書き込むように構成された制御部と、を備える情報処理装置。
【請求項２】
前記制御部は、前記データの書込時に、ユーザの選択に応じて、前記媒体識別情報を記憶する可搬型記録媒体、又は他の可搬型記録媒体に選択的に前記データを書き込む請求項１に記載の情報処理装置。
【請求項３】
前記制御部は、前記データの読取時に、前記ユーザが選択した情報処理装置を識別するための装置識別情報をさらに前記可搬型記録媒体に書き込むとともに、ユーザの選択に応じて、前記可搬型記録媒体から読み取った装置識別情報によって識別される情報処理装置、又はユーザが選択した情報処理装置へ選択的に送信する請求項１又は請求項２に記載の情報処理装置。
【請求項４】
媒体に対するデータの読み書きを行う読書部をさらに備え、
前記制御部は、前記データの読取時に、前記媒体識別情報と前記装置識別情報とが前記読書部によって書き込まれた媒体を発行し、
前記媒体からのデータの読取時に、前記読書部が読み取った装置識別情報が自装置の装置識別情報に一致する場合に、前記読書部が読み取った媒体識別情報が付加されたデータを可搬型記録媒体に書き込み、前記読書部が読み取った装置識別情報が自装置の装置識別情報に一致しない場合に、前記読書部が読み取った媒体識別情報が付加されたデータの送信依頼を行い、
前記送信依頼の受信時に、前記送信依頼されたデータを、送信元である情報処理装置へ送信し、
前記送信依頼を行ったデータの受信時に、受信したデータを可搬型記録媒体に書き込む請求項３に記載の情報処理装置。
【請求項５】
前記制御部は、前記データの読取時に、ユーザが指定した発行数の前記媒体を発行するとともに、前記発行数を前記可搬型記録媒体から読み取ったデータに付加して送信し、
前記送信依頼の受信時に、前記送信依頼されたデータの送信回数が前記発行数に一致すると、前記データを前記記憶部から消去する請求項４に記載の情報処理装置。
【発明の詳細な説明】
【技術分野】
【０００１】
この発明は、可搬型記録媒体に対するデータの読み書きが可能な情報処理装置であって、ネットワークを介して他の情報処理装置とデータの送受信を行う情報処理装置に関する。
【背景技術】
【０００２】
可搬型記録媒体は、各種データを記憶して持ち運ぶのに便利であり、出張先で作成した文書データ、画像データ及び音楽データ等の各種データを持ち帰る場合や、予め作成した各種データを出張先に持って行く場合に使用される。
【０００３】
可搬型記録媒体は、記憶容量が限られているため、記憶したいデータ量が記憶可能な残量を超えて記憶容量が不足すると、既に記憶しているデータを情報処理装置に保存する必要がある。
【０００４】
しかし、出張先では、可搬型記録媒体の記憶容量が不足しても、データを保存するための情報処理装置を所持していないことがある。このような場合、不特定多数のユーザが利用可能なパーソナルコンピュータや画像形成装置等の情報処理装置であって、コンビニエンスストアや量販店等に設置された情報処理装置に、データを保存することが考えられる。さらに、出張先で保存したデータを出張先以外の場所で取得する可能性が高いため、ネットワークで接続された情報処理装置であって、それぞれが他の情報処理装置とデータの送受信を行う情報処理装置にデータを保存する必要がある。
【０００５】
例えば、出張先の近くのコンビニエンスストアに設置された画像形成装置にデータを保存し、出張先からの帰社後に、会社の近くのコンビニエンスストアに設置された画像形成装置から、出張先の近くのコンビニエンスストアに設置された画像形成装置にネットワークを介してアクセスすることで、保存したデータを取得することができる。また、出張先の近くのコンビニエンスストアに設置された画像形成装置から、会社の近くのコンビニエンスストアに設置された画像形成装置にネットワークを介してアクセスしてデータを保存することで、出張先からの帰社後に、会社の近くのコンビニエンスストアに設置された画像形成装置からデータを取得することができる。
【０００６】
しかし、コンビニエンスストアに設置された画像形成装置等の情報処理装置は不特定多数のユーザが利用可能であり、保存されたデータは不特定多数のユーザに公開されたことになる。このため、不特定多数のユーザに公開したくないデータについては、機密性を確保する必要がある。
【０００７】
そこで、機密性を確保するために、パーソナルコンピュータから書画のデータをサーバに保管するネットワーク書画保管システムには、アカウントとパスワードとを用いてユーザ認証を行い、書画のデータへのアクセス制限に基づいて当該ユーザによる書画のデータの読み出し及び削除を制限しているものがある（例えば、特許文献１参照。）。
【先行技術文献】
【特許文献】
【０００８】
【特許文献１】特開２００２−２８１４８１号公報
【発明の概要】
【発明が解決しようとする課題】
【０００９】
しかしながら、従来のアカウントとパスワードとを用いるユーザ認証やアクセス制限を、不特定多数のユーザが利用可能な情報処理装置に適用すると、情報処理装置に対するデータの保存時及び取得時に、ユーザ認証のためのアカウントやパスワードの入力を行わればならず、これらの入力作業が煩雑な操作となる。
【００１０】
この発明の目的は、煩雑な操作を必要とすることなく、情報処理装置に可搬型記録媒体を装着するだけで、可搬型記録媒体に対するデータの読み書きを行うことができる情報処理装置を提供することである。
【課題を解決するための手段】
【００１１】
この発明の情報処理装置は、記憶部と制御部を備え、可搬型記録媒体に対するデータの読み書きと、ネットワークを介して他の情報処理装置に対するデータの送受信と、を行う。記憶部は、データを記憶する。制御部は、可搬型記録媒体からのデータの読取時に、可搬型記録媒体からデータを読み取った後に可搬型記録媒体のデータを消去し、可搬型記録媒体を識別するための媒体識別情報を付与して可搬型記録媒体に書き込むとともに、付与した媒体識別情報を可搬型記録媒体から読み取ったデータに付加して、媒体識別情報が付加されたデータをユーザが選択した情報処理装置へ送信し、他の情報処理装置からの媒体識別情報が付加されたデータの受信時に、媒体識別情報が付加されたデータを記憶部に記憶し、可搬型記録媒体へのデータの書込時に、記憶部が記憶するデータであって可搬型記録媒体から読み取った媒体識別情報が付加されたデータをユーザが選択した可搬型記録媒体に書き込む。
【００１２】
可搬型記録媒体から読み取ったデータを情報処理装置に保存する際に、可搬型記録媒体には、可搬型記録媒体を識別するための媒体識別情報が書き込まれる。可搬型記録媒体から読み取ったデータは、媒体識別情報が付加されて、ユーザが選択した情報処理装置に保存される。また、情報処理装置から取得したデータを可搬型記録媒体に書き込む際には、可搬型記録媒体から媒体識別情報を読み取り、読み取った媒体識別情報が付加されたデータを自装置の記憶部から取得して、ユーザが選択した可搬型記録媒体へ書き込む。
【００１３】
この構成において、制御部は、データの書込時に、ユーザの選択に応じて、媒体識別情報を記憶する可搬型記録媒体、又は他の可搬型記録媒体に選択的にデータを書き込むことが好ましい。
【００１４】
制御部は、情報処理装置から取得したデータを可搬型記録媒体に書き込む際に、媒体識別情報が書き込まれた可搬型記録媒体、又は他の可搬型記録媒体のうちユーザが選択した可搬型記録媒体にデータを書き込む。媒体識別情報が書き込まれた可搬型記録媒体の記憶容量を超えるデータが記憶部に保存されている場合にも、媒体識別情報が書き込まれた可搬型記録媒体より記憶容量が多い他の可搬型記録媒体を用いることで、記憶部に記憶しているデータを可搬型記録媒体に書き込むことができる。
【００１５】
また、制御部は、データの読取時に、ユーザが選択した情報処理装置を識別するための装置識別情報をさらに可搬型記録媒体に書き込むとともに、ユーザの選択に応じて、可搬型記録媒体から読み取った装置識別情報によって識別される情報処理装置、又はユーザが選択した情報処理装置へ選択的に送信することが好ましい。
【００１６】
媒体識別情報と装置識別情報とが書き込まれていない可搬型記録媒体からデータを読み取って情報処理装置に保存する際には、可搬型記録媒体に、可搬型記録媒体を識別するための媒体識別情報と、ユーザが選択した情報処理装置を識別するための装置識別情報と、が書き込まれる。可搬型記録媒体から読み取ったデータは、媒体識別情報が付加されて、ユーザが選択した情報処理装置に保存される。媒体識別情報と装置識別情報とが書き込まれた可搬型記録媒体からデータを読み取って情報処理装置に保存する際には、可搬型記録媒体から読み取った装置識別情報によって識別される情報処理装置、又はユーザが新たに選択した情報処理装置のうちユーザが選択した情報処理装置に、可搬型記録媒体から読み取ったデータを保存する。可搬型記録媒体には、ユーザが選択した情報処理装置を識別するための装置識別情報が上書き又は追加される。
【００１７】
媒体識別情報と装置識別情報とが書き込まれていない可搬型記録媒体からデータを読み取って情報処理装置に保存した際に媒体識別情報と装置識別情報とが可搬型記録媒体に書き込まれるため、可搬型記録媒体に書き込まれた媒体識別情報と装置識別情報とを用いて、煩雑な操作を必要とすることなく、可搬型記録媒体から読み取ったデータを情報処理装置に保存することができる。また、情報処理装置を選択することで、データを保存する情報処理装置を変更することができる。
【００１８】
また、媒体に対するデータの読み書きを行う読書部をさらに備える構成において、制御部は、データの読取時に、媒体識別情報と装置識別情報とが読書部によって書き込まれた媒体を発行し、媒体からのデータの読取時に、読書部が読み取った装置識別情報が自装置の装置識別情報に一致する場合に、読書部が読み取った媒体識別情報が付加されたデータを可搬型記録媒体に書き込み、読書部が読み取った装置識別情報が自装置の装置識別情報に一致しない場合に、読書部が読み取った媒体識別情報が付加されたデータの送信依頼を行い、送信依頼の受信時に、送信依頼されたデータを、送信元である情報処理装置へ送信し、送信依頼を行ったデータの受信時に、受信したデータを可搬型記録媒体に書き込むことが好ましい。
【００１９】
可搬型記録媒体のデータを情報処理装置に保存する際に発行される媒体には、データに付加される媒体識別情報と、データが保存されている情報処理装置の装置識別情報と、が書き込まれている。制御部は、媒体から媒体識別情報と装置識別情報とを読み取り、読み取った装置識別情報によって識別される情報処理装置の記憶部から媒体識別情報が付加されたデータを取得して可搬型記録媒体へ書き込む。媒体識別情報と装置識別情報とが書き込まれた可搬型記録媒体を紛失しても、媒体識別情報と装置識別情報とが書き込まれた媒体を用いることで、情報処理装置からデータを取得して可搬型記録媒体に書き込むことができる。
【００２０】
この構成において、制御部は、データの読取時に、ユーザが指定した発行数の媒体を発行するとともに、発行数を可搬型記録媒体から読み取ったデータに付加して送信し、送信依頼の受信時に、送信依頼されたデータの送信回数が発行数に一致すると、データを記憶部から消去することが好ましい。すべての媒体を用いて他の可搬型記録媒体へのデータの書き込みが終了すると、データを保存する情報処理装置の記憶部からデータを自動的に消去するため、データを記憶部から消去するという煩雑な操作をしなくてもよい。
【発明の効果】
【００２１】
この発明によれば、煩雑な操作を必要とすることなく、可搬型記録媒体に対するデータの読み書きを行うことができる。
【図面の簡単な説明】
【００２２】
【図１】この発明の画像形成装置を備えるシステムの概略図である。
【図２】同画像形成装置の機能、構成を示すブロック図である。
【図３】同画像形成装置の制御部におけるメモリカードから他の画像形成装置へのデータ送信時の制御内容を示すフローチャートである。
【図４】同他の画像形成装置の制御部におけるデータ受信時の制御内容を示すフローチャートの続きである。
【図５】同制御部におけるメモリカードへのデータ書込時の制御内容を示すフローチャートである。
【図６】第２の実施形態に係る画像形成装置の機能、構成を示すブロック図である。
【図７】同画像形成装置の制御部のチケット発行時の制御内容を示すフローチャートである。
【図８】同制御部のチケット利用時の制御内容を示すフローチャートである。
【図９】同制御部のデータ取得依頼受信時の制御内容を示すフローチャートである。
【発明を実施するための形態】
【００２３】
この発明の第１の実施形態に係る画像形成装置について図を参照して説明する。図１に示すように、画像形成装置１００Ａ〜１００Ｄは、コンビニエンスストアや量販店等の公共の場に設置されており、不特定多数のユーザが利用することができる。また、画像形成装置１００Ａ〜１００Ｄは、それぞれ、ネットワーク２００を介して接続されている。なお、ネットワーク２００に接続される画像形成装置の数は４台に限らず、複数台であればよい。
【００２４】
画像形成装置１００Ａは、装着されたメモリカード２から画像データを読み取って、メモリカード２を識別するための媒体ＩＤ（本発明の媒体識別情報に相当する。）とユーザが選択した画像形成装置１００Ｂを識別するための装置ＩＤ（本発明の装置識別情報に相当する。）とをメモリカード２に書き込むとともに、画像データに媒体ＩＤを付加して画像形成装置１００Ｂに送信する。画像形成装置１００Ｂは、媒体ＩＤが付加された画像データを受信して保存する。
【００２５】
また、媒体ＩＤと装置ＩＤとが書き込まれたメモリカード２を用いて、装置ＩＤによって識別される画像形成装置への画像データの保存、装置ＩＤによって識別される画像形成装置から媒体ＩＤが付加された画像データの取得を行うことができる。
【００２６】
例えば、画像形成装置１００Ｃは、媒体ＩＤと装置ＩＤと画像データとが書き込まれたメモリカード２が装着されると、装置ＩＤによって識別される画像形成装置１００Ｂに、画像データに媒体ＩＤを付加して送信する。画像形成装置１００Ｂは、媒体ＩＤが付加された画像データを受信して保存する。また、媒体ＩＤと装置ＩＤとが書き込まれたメモリカード２が装置ＩＤによって識別される画像形成装置１００Ｂに装着されると、媒体ＩＤが付加された画像データがメモリカード２に書き込まれる。
【００２７】
メモリカード２は、媒体ＩＤと装置ＩＤとが書き込まれる際に、記憶している画像データが消去されるため、記憶領域の先頭部分に媒体ＩＤと装置ＩＤとが書き込まれる。画像形成装置は、メモリカード２から読み取ったデータの先頭領域を参照することで、当該メモリカード２に媒体ＩＤと装置ＩＤとが書き込まれているか否かを判断することができる。
【００２８】
図２に示すように、画像形成装置１００Ａは、通信部１０、リーダライタ１１Ａ，１１Ｂ、モニタ１２、画像形成部１３、排出口１４、記憶部１５、ＣＰＵ１６、ＲＯＭ１７、及びＲＡＭ１８を備える。なお、画像形成装置１００Ｂ〜１００Ｄは、画像形成装置１００Ａと同一の構成である。
【００２９】
通信部１０は、他の画像形成装置１００Ｂ〜１００Ｃとネットワーク２００を介して通信可能に接続されており、互いにデータの送受信を行う。
【００３０】
リーダライタ１１Ａ、１１Ｂは、それぞれ、装着されたメモリカード２、光ディスク３に対してデータの読み書きを行う。
【００３１】
モニタ１２は、タッチパネルを有し、各種印刷条件の設定、印刷開始指示、画像データの保存先の選択、及び画像データの書込先の選択等の各種選択操作を受け付ける。モニタ１２は、受け付けた選択操作に基づく操作信号をＣＰＵ１６へ出力する。
【００３２】
画像形成部１３は、画像データを用いて用紙に公知の昇華型熱転写方式やインクジェット方式による画像形成処理を行い、画像形成処理後の用紙を排出口１４へ排出する。
【００３３】
記憶部１５は、自装置の装置ＩＤと、先頭に媒体ＩＤを付加した画像データと、を記憶する。自装置の装置ＩＤは、他の画像形成装置と識別するために用いられる。ＣＰＵ１６は、記憶部１５を参照して、メモリカード２から読み取った装置ＩＤが自装置の装置ＩＤと一致しているか否かを判断することで、メモリカード２から読み取った装置ＩＤによって識別される画像形成装置が自装置であるか否かを判断することができる。
【００３４】
媒体ＩＤは、画像データを画像形成装置へ保存したメモリカード２を識別するための情報であり、画像形成装置によってメモリカード２に自動的に付与される。画像データは、媒体ＩＤによって識別されるメモリカード２から保存されたデータである。
【００３５】
ＣＰＵ１６は、ＲＡＭ１８をワーキングエリアとして活用して、ＲＯＭ１７に記憶されている制御プログラムを実行して、各機能部を制御する。
【００３６】
ＣＰＵ１６は、メモリカード２及び光ディスク３からリーダライタ１１Ａ及びリーダライタ１１Ｂが読み取った画像データを用いて、用紙に対して画像形成部１３によって画像形成処理を行う。
【００３７】
ＣＰＵ１６は、メモリカード２から画像データを読み取って画像形成装置１００Ｂ〜１００Ｃに送信する。画像データを受信したＣＰＵ１６は、受信した画像データを記憶部１５に記憶する。また、ＣＰＵ１６は、画像形成装置１００Ｂ〜１００Ｃに画像データの送信依頼を行い、送信依頼された画像データを受信するとメモリカード２や光ディスク３に書き込む。
【００３８】
まず、画像形成装置１００Ａが媒体ＩＤと装置ＩＤとが書き込まれていないメモリカード２から画像データを読み取って、ユーザが選択した画像形成装置１００Ｂに送信する場合について説明する。
【００３９】
図３に示すように、画像形成装置１００ＡのＣＰＵ１６は、リーダライタ１１Ａにメモリカード２が装着されるまで待つ（Ｓ１１）。ＣＰＵ１６は、メモリカード２が装着されると、メモリカード２からリーダライタ１１Ａによってデータを読み取り（Ｓ１２）、メモリカード２のデータを消去する（Ｓ１３）。ＣＰＵ１６は、読み取ったデータの先頭領域に媒体ＩＤと装置ＩＤとが含まれるかを判別する（Ｓ１４）。
【００４０】
ＣＰＵ１６は、読み取ったデータに媒体ＩＤと装置ＩＤとが含まれないため、複数の画像形成装置の中から画像データを保存する画像形成装置の選択を受け付ける画面をモニタ１２に表示して、画像形成装置の選択を受け付けるまで待つ（Ｓ１５）。ＣＰＵ１６は、画像形成装置１００Ｂの選択を受け付けると、メモリカード２の媒体ＩＤを付与して（Ｓ１６）、付与した媒体ＩＤと選択された画像形成装置１００Ｂの装置ＩＤとをメモリカード２の記憶領域の先頭部分にリーダライタ１１Ａによって書き込む（Ｓ１７）。媒体ＩＤと装置ＩＤとは、消去不可に設定されてメモリカード２に書き込まれる。ＣＰＵ１６は、付与した媒体ＩＤを画像データに付加して、装置ＩＤによって識別される画像形成装置１００Ｂへ送信する（Ｓ１８）。
【００４１】
画像形成装置１００ＢのＣＰＵ１６は、図４に示すように、媒体ＩＤが付加された画像データを受信すると（Ｓ３１）、媒体ＩＤが付加された画像データを記憶部１５に記憶する（Ｓ３２）。
【００４２】
以上のように、媒体ＩＤと装置ＩＤとが書き込まれていないメモリカード２から読み取った画像データを画像形成装置１００Ｂに保存する際に、メモリカード２の媒体ＩＤと選択した画像形成装置１００Ｂの装置ＩＤとをメモリカード２に書き込む。このため、メモリカード２に書き込まれた媒体ＩＤと装置ＩＤとを用いてユーザ認証を行うことができる。
【００４３】
次に、画像形成装置１００Ｃが媒体ＩＤと装置ＩＤとが書き込まれたメモリカード２からデータを読み取って、装置ＩＤによって識別される画像形成装置１００Ｂに、読み取ったデータに含まれる画像データを送信する場合について説明する。
【００４４】
図３に示すように、画像形成装置１００ＣのＣＰＵ１６は、リーダライタ１１Ａにメモリカード２が装着されるまで待つ（Ｓ１１）。ＣＰＵ１６は、メモリカード２が装着されると、メモリカード２からリーダライタ１１Ａによってデータを読み取り（Ｓ１２）、消去不可に設定されている媒体ＩＤと装置ＩＤとを除くメモリカード２のデータを消去する（Ｓ１３）。ＣＰＵ１６は、読み取ったデータの先頭領域に媒体ＩＤと装置ＩＤと含まれるかを判別する（Ｓ１４）。
【００４５】
ＣＰＵ１６は、読み取ったデータに媒体ＩＤと装置ＩＤとが含まれるため、読み取った装置ＩＤによって識別される画像形成装置１００Ｂに画像データを保存するか否かの選択を受け付ける画面をモニタ１２に表示して、保存するか否かの選択を受け付ける（Ｓ１９）。ＣＰＵ１６は、画像形成装置１００Ｂに画像データを保存するため、読み取ったデータに含まれる媒体ＩＤを読み取ったデータに含まれる画像データに付加して、装置ＩＤによって識別される画像形成装置１００Ｂへ送信する（Ｓ１８）。
【００４６】
また、Ｓ１９の処理において、画像形成装置１００Ｂに画像データを保存しない場合に、ＣＰＵ１６は、複数の画像形成装置の中から画像データを保存する画像形成装置の選択を受け付ける画面をモニタ１２に表示して、画像形成装置の選択を受け付けるまで待つ（Ｓ２０）。ＣＰＵ１６は、画像形成装置の選択を受け付けると、メモリカード２の記憶領域の先頭部分に、選択された画像形成装置の装置ＩＤをリーダライタ１１Ａによって既に書き込まれた装置ＩＤに追加して書き込み（Ｓ２１）、読み取ったデータに含まれる媒体ＩＤを読み取ったデータに含まれる画像データに付加して、メモリカード２に追加して書き込まれた装置ＩＤによって識別される画像形成装置へ送信する（Ｓ１８）。
【００４７】
なお、メモリカード２の記憶領域の先頭部分に複数の装置ＩＤが記憶されている場合に、Ｓ１９の処理において、ＣＰＵ１６は、最近メモリカード２に書き込まれた装置ＩＤによって識別される画像形成装置へ画像データを保存するか否かの選択を受け付ける。
【００４８】
また、Ｓ２１の処理において、選択された画像形成装置の装置ＩＤを既に書き込まれた装置ＩＤに上書きしてもよい。既に書き込まれた装置ＩＤによって識別される画像形成装置からすべての画像データを取得した場合には、選択された画像形成装置の装置ＩＤで既にある装置ＩＤを上書きした方が好ましい。
【００４９】
以上のように、媒体ＩＤと装置ＩＤとが書き込まれたメモリカード２から画像データを読み取って画像形成装置１００Ｂに保存する場合には、ユーザ認証におけるアカウントやパスワードの入力作業等の煩雑な操作を必要とすることなく、媒体ＩＤが付加された画像データを装置ＩＤによって識別される画像形成装置１００Ｂの記憶部１５に記憶することができる。また、他の画像形成装置に画像データを保存したい場合には、画像形成装置を新たに選択することで、他の画像形成装置に画像データを保存することができる。
【００５０】
次に、媒体ＩＤと装置ＩＤとが書き込まれたメモリカード２を用いて、画像形成装置１００Ｂから画像データを取得して、メモリカード２又は光ディスク３に書き込む場合について説明する。
【００５１】
図５に示すように、画像形成装置１００ＢのＣＰＵ１６は、リーダライタ１１Ａにメモリカード２が装着されるまで待つ（Ｓ４１）。ＣＰＵ１６は、メモリカード２が装着されると、メモリカード２からリーダライタ１１Ａによってデータを読み取り（Ｓ４２）、読み取ったデータの先頭領域に媒体ＩＤと装置ＩＤとが含まれるかを判別する（Ｓ４３）。ＣＰＵ１６は、含まれない場合に、モニタ１２にエラー表示して（Ｓ５１）、処理を終了する。
【００５２】
ＣＰＵ１６は、読み取ったデータに媒体ＩＤと装置ＩＤとが含まれる場合に、読み取ったデータに含まれる装置ＩＤが自装置の装置ＩＤと一致するかを調べる（Ｓ４４）。ＣＰＵ１６は、一致しない場合に、モニタ１２にエラー表示して（Ｓ５１）、処理を終了する。
【００５３】
ＣＰＵ１６は、読み取ったデータに含まれる装置ＩＤが自装置の装置ＩＤと一致するため、媒体ＩＤが付加された画像データを記憶部１５から取得する（Ｓ４５）。ＣＰＵ１６は、取得した画像データの中からメモリカード２又は光ディスク３に書き込む画像データの選択を受け付ける画面をモニタ１２に表示して、画像データの選択を受け付けるまで待つ（Ｓ４６）。ＣＰＵ１６は、画像データの選択を受け付けると、リーダライタ１１Ｂに光ディスク３が装着されているかを判断する（Ｓ４７）。
【００５４】
ＣＰＵ１６は、光ディスク３が装着されている場合に、光ディスク３に画像データを書き込むか否かの選択を受け付ける画面をモニタ１２に表示して、書き込むか否かの選択を受け付けるまで待つ（Ｓ４８）。光ディスク３に画像データを書き込む旨の選択入力を受け付けると、選択した画像データを光ディスク３に書き込んで（Ｓ４９）、処理を終了する。
【００５５】
ＣＰＵ１６は、光ディスク３が装着されていない場合、及び、光ディスク３に画像データを書き込まない旨の選択入力を受け付けた場合には、選択した画像データをメモリカード２に書き込んで（Ｓ５０）、処理を終了する。
【００５６】
なお、Ｓ４７〜Ｓ５０の処理において、取得した画像データをメモリカード２又は光ディスク３に書き込んだが、取得した画像データを用いて用紙に画像形成処理を行ってもよい。
【００５７】
以上のように、メモリカード２に書き込まれた装置ＩＤによって識別される画像形成装置１００Ｂから画像データを取得する場合には、画像形成装置１００Ｂにメモリカード２を装着するだけで、ユーザ認証におけるアカウントやパスワードの入力作業等の煩雑な操作を必要とすることなく、メモリカード２に書き込まれた媒体ＩＤが付加された画像データを、ユーザが選択したメモリカード２又は光ディスク３に書き込むことができる。
【００５８】
この発明の第２の実施形態に係る画像形成装置１０１Ａ〜１０１Ｄは、データの保存時にチケット４を発行する点で、第１の実施形態に係る画像形成装置１００Ａ〜１００Ｄと相違する。以下、相違点についてのみ説明する。
【００５９】
チケット４は、メモリカード２の画像データを画像形成装置へ保存する際に発行される。チケット４には、メモリカード２の媒体ＩＤ、画像データを保存した画像形成装置の装置ＩＤ、及び画像データのファイル名を変換した二次元コードが印刷されている。なお、二次元コードに限らず、媒体ＩＤ、装置ＩＤ、及び画像データのファイル名を識別するための情報であればよく、例えばバーコードでもよい。
【００６０】
また、画像形成装置１０１Ａは、読取部１９をさらに備える。読取部１９は、スキャナ機能を有し、載置台に載置されたチケット４から二次元コードを読み取る。ＣＰＵ１６は、二次元コードを媒体ＩＤ、ファイル名、及び装置ＩＤに変換して解析することで、画像データを保存する画像形成装置と保存した画像データとを判別することができる。
【００６１】
記憶部１５は、自装置の装置ＩＤと、先頭から順に媒体ＩＤと発行数と送信回数とを付加した画像データと、を記憶する。発行数は、画像データの保存時に発行したチケット４の発行数を示す。送信回数は、チケット４を用いた画像データの取得回数を示す。
【００６２】
まず、チケット４の発行時の処理について説明する。チケット４は、画像形成装置に画像データを保存する際に発行される。このため、ＣＰＵ１６は、図３のＳ１８の処理に代えて、図７に示すＳ６１〜６７の処理行う。
【００６３】
図７に示すように、ＣＰＵ１６は、チケット４を発行するか否かの選択を受け付ける画面をモニタ１２に表示して、チケット４を発行するか否かの選択を受け付けるまで待つ（Ｓ６１）。ＣＰＵ１６は、チケット４を発行する場合に、チケット４の発行数の設定を受け付けるまで待つ（Ｓ６２）。ＣＰＵ１６は、発行数が設定されると、メモリカード２から読み取ったデータである画像データに媒体ＩＤと発行数とを付加して、媒体ＩＤと発行数とが付加された画像データを、装置ＩＤによって識別される画像形成装置１００Ｂへ送信する（Ｓ６３）。画像形成装置１００ＢのＣＰＵ１６は、媒体ＩＤと発行数とが付加された画像データを受信すると、受信した画像データに送信回数（０回）を付加して記憶部１５に記憶する。
【００６４】
また、画像形成装置１００ＡのＣＰＵ１６は、媒体ＩＤと装置ＩＤと画像データのファイル名とを二次元コードに変換して（Ｓ６４）、発行数分のチケット４に二次元コードを画像形成部１３によって印刷する（Ｓ６５）。ＣＰＵ１６は、二次元コードを印刷したチケット４を排出口１４から排出して（Ｓ６６）、処理を終了する。
【００６５】
なお、Ｓ６１の処理において、チケット４を発行しない場合に、ＣＰＵ１６は、メモリカード２から読み取った画像データに媒体ＩＤのみを付加して、媒体ＩＤが付加された画像データを装置ＩＤによって識別される画像形成装置１００Ｂへ送信して（Ｓ６７）、処理を終了する。
【００６６】
次に、画像形成装置１００Ａがチケット４から二次元コードを読み取った場合について説明する。チケット４には、メモリカード２の媒体ＩＤと画像形成装置１００Ｂの装置ＩＤと画像データのファイル名とを含む二次元コードが印刷されているものとする。
【００６７】
図８に示すように、画像形成装置１００ＡのＣＰＵ１６は、載置台に載置されたチケット４から二次元コードを読取部１９によって読み取るまで待つ（Ｓ７１）。ＣＰＵ１６は、二次元コードが読み取られると、リーダライタ１１Ａ又はリーダライタ１１Ｂにメモリカードか光ディスク３が装着されるまで待つ（Ｓ７２）。ＣＰＵ１６は、メモリカード又は光ディスク３が装着されると、二次元コードを媒体ＩＤ、装置ＩＤ、及び画像データのファイル名に変換する（Ｓ７３）。ＣＰＵ１６は、変換後の装置ＩＤが自装置の装置ＩＤと一致するか否かを判断する（Ｓ７４）。ＣＰＵ１６は、一致しないため、変換後の装置ＩＤによって識別される画像形成装置１００Ｂへ、変換後の媒体ＩＤと画像データのファイル名とによって識別される画像データの送信依頼を行う（Ｓ７５）。
【００６８】
図９に示すように、画像形成装置１００ＢのＣＰＵ１６は、送信依頼を受信するまで待つ（Ｓ９１）。ＣＰＵ１６は、送信依頼された画像データを記憶部１５から取得して（Ｓ９２）、送信元の画像形成装置１００Ａへ送信する（Ｓ９３）。ＣＰＵ１６は、送信依頼された画像データに付加された送信回数を１増やして、記憶部１５を更新する（Ｓ９４）。ＣＰＵ１６は、記憶部１５を参照して、送信回数が発行数以上であるか否かを判断する（Ｓ９５）。ＣＰＵ１６は、送信回数が発行数以上の場合に、画像データを記憶部１５から消去して（Ｓ９６）、処理を終了する。送信回数が発行数未満の場合には、そのまま処理を終了する。
【００６９】
画像形成装置１００ＡのＣＰＵ１６は、送信先の画像形成装置１００Ｂから画像データを受信するまで待つ（Ｓ７６）。ＣＰＵ１６は、画像データを受信すると、メモリカード又は光ディスク３にリーダライタ１１Ａ又はリーダライタ１１Ｂによって画像データを書き込んで（Ｓ７７）、処理を終了する。
【００７０】
なお、画像形成装置１００Ｂがチケット４から二次元コードを読み取った場合には、Ｓ７４の処理において、変換後の装置ＩＤが自装置の装置ＩＤと一致するため、変換後の媒体ＩＤと画像データのファイル名によって識別される画像データを記憶部１５から取得する（Ｓ７８）。ＣＰＵ１６は、取得した画像データに付加された送信回数を１増やして、記憶部１５を更新する（Ｓ７９）。ＣＰＵ１６は、記憶部１５を参照して、送信回数が発行数以上であるか否かを判断する（Ｓ８０）。ＣＰＵ１６は、送信回数が発行数以上の場合に、画像データを記憶部１５から消去して（Ｓ８１）、Ｓ７７の処理を行う。送信回数が発行数未満の場合には、Ｓ７７の処理を行う。
【００７１】
なお、Ｓ７７の処理において、取得した画像データをメモリカード又は光ディスクに書き込んだが、取得した画像データを用いて用紙に画像形成処理を行ってもよい。
【００７２】
以上より、画像データを画像形成装置１００Ｂへ保存したメモリカード２を紛失しても、チケット４を用いることで、画像形成装置１００Ｂから画像データを取得することができる。また、画像データを画像形成装置１００Ｂに保存したメモリカード２を所持しないユーザに対しても、チケット４を配布することで、画像データを取得可能にすることができる。また、メモリカード２又は光ディスク３に画像データを書き込んだ回数が、当該画像データを取得可能であるチケット４の発行数以上になると、記憶部１５から当該画像データを自動で消去するため、ユーザの操作により不要な画像データを消去するという煩雑な処理を行う必要がない。
【００７３】
また、上述の実施例では、媒体ＩＤと装置ＩＤと画像データのファイル名とを含む二次元コードが印刷されたチケット４を例に挙げて説明したが、媒体ＩＤと装置ＩＤと画像データを識別するためのデータ識別情報とが書き込まれたメモリカード、ＵＳＢメモリやＳＤカードや記録用紙等の媒体であればよい。また、チケット４の二次元コードには少なくとも媒体ＩＤと装置ＩＤとが含まれていればよい。
【００７４】
なお、上述の実施例では、メモリカード２に対する画像データの読み書きを行う画像形成装置を例に挙げて説明したが、可搬型記録媒体にデータの読み書きを行う情報処理装置であればよい。例えば、ＵＳＢメモリに対する文書データの読み書きを行うパーソナルコンピュータや、ＳＤカードに対する音楽データの読み書きを行う音楽端末でもよい。
【００７５】
また、画像データを記憶部１５へ保存する際に、保存したユーザの連絡先（メールアドレス等）を登録しておき、画像形成装置の記憶部１５に記憶している画像データのデータ量が所定量（例えば、光ディスクの記憶容量）を超えると、画像データを保存したユーザの連絡先に対してその旨を通知してもよい。光ディスク３に画像データを書き込む場合には、書き込む画像データのサマリも書き込むとよい。
【００７６】
また、各画像形成装置は、互いが、記憶部１５に記憶しているデータをバックアップする構成とすればよい。何れかの画像形成装置が故障しても、他の画像形成装置からデータを復旧することで、故障した画像形成装置が記憶するデータを取得することができる。
【００７７】
また、メモリカード２の画像データを画像形成装置に保存する度、画像形成装置から取得した画像データをメモリカード２又は光ディスク３に書き込む度に、使用料金を発生させてもよい。
【００７８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００７９】
２…メモリカード
３…光ディスク
１５…記憶部
１６…ＣＰＵ
１００Ａ〜１００Ｄ，１０１Ａ〜１０１Ｄ…画像形成装置
２００…ネットワーク
【図１】
2013225223.tif 000003
【図２】
2013225223.tif 000004
【図３】
2013225223.tif 000005
【図４】
2013225223.tif 000006
【図５】
2013225223.tif 000007
【図６】
2013225223.tif 000008
【図７】
2013225223.tif 000009
【図８】
2013225223.tif 000010
【図９】
2013225223.tif 000011